(57)【要約】【課題】複数の人間によってスポーツ感覚で指の運動機能を向上させることができる指運動用器具を提供すること。【解決手段】本発明の指運動用器具は、人差し指ａ及び中指ｂで球体を操作させる指運動用器具であって、人差し指ａ及び中指ｂを露出させる開口を形成する指開口形成布部１０と、手首の位置にて開口を形成する手首開口形成布部２０と、指開口形成布部１０と手首開口形成布部２０とを連接する連接布部３０とから構成されることを特徴とする。【選択図】図１
2009195656.tif 000002
【特許請求の範囲】
【請求項１】
人差し指及び中指で球体を操作させる指運動用器具であって、前記人差し指及び前記中指を露出させる開口を形成する指開口形成布部と、手首の位置にて開口を形成する手首開口形成布部と、前記指開口形成布部と前記手首開口形成布部とを連接する連接布部とから構成されることを特徴とする指運動用器具。
【請求項２】
前記連接布部によって手の甲及び手のひらを覆い、前記連接布部によって、親指を露出させる第１の開口部と、薬指及び小指を露出させる第２の開口部とを形成したことを特徴とする請求項１に記載の指運動用器具。
【請求項３】
前記指開口形成布部によって、前記人差し指を露出させる第３の開口部と、前記中指を露出させる第４の開口部と、前記人差し指の付け根及び前記中指の付け根に位置させる第５の開口部とを形成し、前記指開口形成布部をパンツ型としたことを特徴とする請求項１に記載の指運動用器具。
【請求項４】
前記第５の開口部に弾性材を設けて絞りを形成したことを特徴とする請求項２に記載の指運動用器具。
【請求項５】
前記手首開口形成布部を、第１のバンドと第２のバンドで構成し、前記第１のバンドの一端を前記連接布部に連接し、前記第２のバンドの一端を前記連接布部に連接し、前記第１のバンドの他端と前記第２のバンドの他端とにそれぞれ係止部を設けたことを特徴とする請求項１に記載の指運動用器具。
【請求項６】
前記係止部を、面ファスナー又はボタンとしたことを特徴とする請求項５に記載の指運動用器具。
【請求項７】
前記指開口形成布部によって、前記人差し指を露出させる第３の開口部と、前記中指を露出させる第４の開口部と、前記人差し指の付け根側を覆う第１の筒部と、前記中指の付け根側を覆う第２の筒部とを形成し、前記連接布部によって親指を露出させる第１の開口部を形成し、前記連接布部によって手の甲及び手のひらを覆うと共に、薬指及び小指を前記連接布部内に入れて用いることを特徴とする請求項１に記載の指運動用器具。
【請求項８】
前記指開口形成布部によって、前記人差し指を露出させる第３の開口部と、前記中指を露出させる第４の開口部と、前記人差し指の付け根側を覆う第１の筒部と、前記中指の付け根側を覆う第２の筒部とを形成し、前記連接布部によって親指を露出させる第１の開口部と、小指を露出させる第２の開口部と、前記人差し指の付け根側を覆う第３の筒部と、前記中指の付け根側を覆う第４の筒部とを形成し、前記連接布部によって手の甲及び手のひらを覆うと共に、薬指を前記連接布部内に入れて用いることを特徴とする請求項１に記載の指運動用器具。
【発明の詳細な説明】
【技術分野】
【０００１】  本発明は、人差し指及び中指によって球体を操作させる指運動用器具に関する。
【背景技術】
【０００２】  従来の指運動器具としては、指にマグネットリングをはめてリハビリを行う麻痺手の訓練器具がある（特許文献１）。
また、指回し器具もいくつかのタイプが提案されている（特許文献２、特許文献３）。
【特許文献１】  特開２００３−２３６０１６号公報
【特許文献２】  特開２００２−６５８９３号公報
【特許文献３】  特開２００４−１３００２１号公報
【発明の開示】
【発明が解決しようとする課題】
【０００３】  しかし、いずれの器具も面白みに欠け、複数の人間によるスポーツ性などは考慮されていない。【０００４】  そこで本発明は、複数の人間によってスポーツ感覚で指の運動機能を向上させることができる指運動用器具を提供することを目的とする。
【課題を解決するための手段】
【０００５】  請求項１記載の本発明の指運動用器具は、人差し指及び中指で球体を操作させる指運動用器具であって、前記人差し指及び前記中指を露出させる開口を形成する指開口形成布部と、手首の位置にて開口を形成する手首開口形成布部と、前記指開口形成布部と前記手首開口形成布部とを連接する連接布部とから構成されることを特徴とする。
請求項２記載の本発明は、請求項１に記載の指運動用器具において、前記連接布部によって手の甲及び手のひらを覆い、前記連接布部によって、親指を露出させる第１の開口部と、薬指及び小指を露出させる第２の開口部とを形成したことを特徴とする。
請求項３記載の本発明は、請求項１に記載の指運動用器具において、前記指開口形成布部によって、前記人差し指を露出させる第３の開口部と、前記中指を露出させる第４の開口部と、前記人差し指の付け根及び前記中指の付け根に位置させる第５の開口部とを形成し、前記指開口形成布部をパンツ型としたことを特徴とする。
請求項４記載の本発明は、請求項２に記載の指運動用器具において、前記第５の開口部に弾性材を設けて絞りを形成したことを特徴とする。
請求項５記載の本発明は、請求項１に記載の指運動用器具において、前記手首開口形成布部を、第１のバンドと第２のバンドで構成し、前記第１のバンドの一端を前記連接布部に連接し、前記第２のバンドの一端を前記連接布部に連接し、前記第１のバンドの他端と前記第２のバンドの他端とにそれぞれ係止部を設けたことを特徴とする。
請求項６記載の本発明は、請求項５に記載の指運動用器具において、前記係止部を、面ファスナー又はボタンとしたことを特徴とする。
請求項７記載の本発明は、請求項１に記載の指運動用器具において、前記指開口形成布部によって、前記人差し指を露出させる第３の開口部と、前記中指を露出させる第４の開口部と、前記人差し指の付け根側を覆う第１の筒部と、前記中指の付け根側を覆う第２の筒部とを形成し、前記連接布部によって親指を露出させる第１の開口部を形成し、前記連接布部によって手の甲及び手のひらを覆うと共に、薬指及び小指を前記連接布部内に入れて用いることを特徴とする。
請求項８記載の本発明は、請求項１に記載の指運動用器具において、前記指開口形成布部によって、前記人差し指を露出させる第３の開口部と、前記中指を露出させる第４の開口部と、前記人差し指の付け根側を覆う第１の筒部と、前記中指の付け根側を覆う第２の筒部とを形成し、前記連接布部によって親指を露出させる第１の開口部と、小指を露出させる第２の開口部と、前記人差し指の付け根側を覆う第３の筒部と、前記中指の付け根側を覆う第４の筒部とを形成し、前記連接布部によって手の甲及び手のひらを覆うと共に、薬指を前記連接布部内に入れて用いることを特徴とする。
【発明の効果】
【０００６】  本発明によれば、複数の人間によってスポーツ感覚で楽しめ、遊びの中で指の運動機能を高めることができる。
【発明を実施するための最良の形態】
【０００７】  本発明の第１の実施の形態による指運動用器具は、人差し指及び中指を露出させる開口を形成する指開口形成布部と、手首の位置にて開口を形成する手首開口形成布部と、指開口形成布部と手首開口形成布部とを連接する連接布部とから構成されるものである。本実施の形態によれば、指開口形成布部によって人差し指と中指を露出させているために、人差し指と中指に意識を集中させることができる。
本発明の第２の実施の形態は、第１の実施の形態による指運動用器具において、連接布部によって手の甲及び手のひらを覆い、連接布部によって、親指を露出させる第１の開口部と、薬指及び小指を露出させる第２の開口部とを形成したものである。本実施の形態によれば、５本の指はすべて自由に動かすことができる。
本発明の第３の実施の形態は、第２の実施の形態による指運動用器具において、指開口形成布部によって、人差し指を露出させる第３の開口部と、中指を露出させる第４の開口部と、人差し指の付け根及び中指の付け根に位置させる第５の開口部とを形成し、指開口形成布部をパンツ型としたものである。本実施の形態によれば、人差し指と中指に意識を集中させることができる。
本発明の第４の実施の形態は、第１の実施の形態による指運動用器具において、第５の開口部に弾性材を設けて絞りを形成したものである。本実施の形態によれば、人差し指の付け根及び中指の付け根で締め付けることで、人差し指と中指に意識を集中させることができる。
本発明の第５の実施の形態は、第１の実施の形態による指運動用器具において、手首開口形成布部を、第１のバンドと第２のバンドで構成し、第１のバンドの一端を連接布部に連接し、第２のバンドの一端を連接布部に連接し、第１のバンドの他端と第２のバンドの他端とにそれぞれ係止部を設けたものである。本実施の形態によれば、手首において器具を固定することができる。
本発明の第６の実施の形態は、第５の実施の形態による指運動用器具において、係止部を、面ファスナー又はボタンとしたものである。本実施の形態によれば、器具の装着を容易に行うことができる。
本発明の第７の実施の形態は、第１の実施の形態による指運動用器具において、指開口形成布部によって、人差し指を露出させる第３の開口部と、中指を露出させる第４の開口部と、人差し指の付け根側を覆う第１の筒部と、中指の付け根側を覆う第２の筒部とを形成し、連接布部によって親指を露出させる第１の開口部を形成し、連接布部によって手の甲及び手のひらを覆うと共に、薬指及び小指を連接布部内に入れて用いるものである。本実施の形態によれば、薬指及び小指を連接布部内に入れて用いることで、人差し指と中指に意識を集中させることができ、指の運動機能を高めることができる。
本発明の第８の実施の形態は、第１の実施の形態による指運動用器具において、指開口形成布部によって、人差し指を露出させる第３の開口部と、中指を露出させる第４の開口部と、人差し指の付け根側を覆う第１の筒部と、中指の付け根側を覆う第２の筒部とを形成し、連接布部によって親指を露出させる第１の開口部と、小指を露出させる第２の開口部と、人差し指の付け根側を覆う第３の筒部と、中指の付け根側を覆う第４の筒部とを形成し、連接布部によって手の甲及び手のひらを覆うと共に、薬指を連接布部内に入れて用いるものである。本実施の形態によれば、薬指を連接布部内に入れて用いることで、人差し指と中指に意識を集中させることができ、指の運動機能を高めることができる。
【実施例】
【０００８】  以下本発明の一実施例について図１から図３を用いて説明する。
図１は本発明の一実施例による指運動用器具の斜視図、図２は同器具の使用時における手のひら側の斜視図、図３は同器具の使用時における手の甲側の斜視図である。
本実施例による指運動用器具は、人差し指ａ及び中指ｂを露出させる開口を形成する指開口形成布部１０と、手首の位置にて開口を形成する手首開口形成布部２０と、指開口形成布部１０と手首開口形成布部２０とを連接する連接布部３０とから構成される。
本実施例による指運動用器具は、連接布部３０によって手の甲及び手のひらを覆い、連接布部３０には、親指ｃを露出させる第１の開口部４０と、薬指ｄ及び小指ｅを露出させる第２の開口部５０とを形成している。
本実施例による指運動用器具は、人差し指ａ及び中指ｂで球体ｆを操作させる。
上記構成のように、本実施例による指運動用器具によれば、５本の指はすべて自由に動かすことができるが、指開口形成布部１０によって人差し指ａと中指ｂを露出させているために、人差し指ａと中指ｂに意識を集中させることができる。
特に、手首開口形成布部２０は、手首よりも十分に大きな開口を形成し、連接布部３０によっても手を締め付けない大きさとすることが好ましい。このように手首開口形成布部２０及び連接布部３０では、手にフィットさせないことで、親指ｃを図示のように開くか又は折り曲げ、人差し指ａと中指ｂを図示のように折り曲げるか又は開く必要があり、球体ｆを操作しない親指ｃ、人差し指ａ、及び中指ｂにも意識を持たせることができ、指の運動機能を高めることができる。【０００９】  次に本発明の他の実施例について図４から図７を用いて説明する。
図４は本発明の他の実施例による指運動用器具の正面図、図５は同器具の背面図、図６は同器具の使用時における手のひら側の斜視図、図７は同器具の使用時における手の甲側の斜視図である。
本実施例による指運動用器具は、人差し指ａ及び中指ｂを露出させる開口を形成する指開口形成布部１０と、手首の位置にて開口を形成する手首開口形成布部２０と、指開口形成布部１０と手首開口形成布部２０とを連接する連接布部３０とから構成される。
本実施例による指運動用器具は、指開口形成布部１０によって、人差し指ａを露出させる第３の開口部１１と、中指ｂを露出させる第４の開口部１２と、人差し指ａの付け根及び中指ｂの付け根に位置させる第５の開口部１３とを形成し、指開口形成布部１０をパンツ型としている。また、第５の開口部１３には、弾性材１３ａを設けて絞りを形成している。
本実施例による指運動用器具は、手首開口形成布部２０を、第１のバンド２１と第２のバンド２２で構成し、第１のバンド２１の一端を連接布部３０に連接し、第２のバンド２２の一端を連接布部３０に連接し、第１のバンド２１の他端と第２のバンド２２の他端とにそれぞれ係止部２３、２４を設けている。係止部２３、２４は、面ファスナー又はボタンで構成する。
本実施例による指運動用器具は、人差し指ａ及び中指ｂで球体ｆを操作させる。
上記構成のように、本実施例による指運動用器具によれば、５本の指はすべて自由に動かすことができるが、指開口形成布部１０によって人差し指ａと中指ｂを露出させているために、人差し指ａと中指ｂに意識を集中させることができる。
特に、第５の開口部１３には弾性材１３ａを設け、人差し指ａの付け根及び中指ｂの付け根で締め付けることで、人差し指ａと中指ｂに意識を集中させることができる。【００１０】  次に本発明の他の実施例について図８及び図９を用いて説明する。
図８は本発明の他の実施例による指運動用器具の斜視図、図９は同器具の使用時における手の甲側の斜視図である。
本実施例による指運動用器具は、人差し指ａ及び中指ｂを露出させる開口を形成する指開口形成布部１０と、手首の位置にて開口を形成する手首開口形成布部２０と、指開口形成布部１０と手首開口形成布部２０とを連接する連接布部３０とから構成される。
本実施例による指運動用器具は、指開口形成布部１０によって、人差し指ａを露出させる第３の開口部１１と、中指ｂを露出させる第４の開口部１２と、人差し指ａの付け根側を覆う第１の筒部１４と、中指ｂの付け根側を覆う第２の筒部１５とを形成し、連接布部３０によって親指ｃを露出させる第１の開口部４０を形成し、連接布部３０によって手の甲及び手のひらを覆うと共に、薬指ｄ及び小指ｅを連接布部３０内に入れて用いる。
本実施例による指運動用器具は、人差し指ａ及び中指ｂで球体ｆを操作させる。
上記構成のように、本実施例による指運動用器具によれば、指開口形成布部１０によって人差し指ａと中指ｂを露出させ、人差し指ａを第１の筒部１４で中指ｂを第２の筒部１５で覆うために、人差し指ａと中指ｂに意識を集中させることができる。
特に、薬指ｄ及び小指ｅを連接布部３０内に入れて用いることで、人差し指ａと中指ｂに意識を集中させることができ、指の運動機能を高めることができる。【００１１】  次に本発明の他の実施例について図１０を用いて説明する。
図１０は本発明の他の実施例による指運動用器具の斜視図である。
本実施例による指運動用器具は、人差し指ａ及び中指ｂを露出させる開口を形成する指開口形成布部１０と、手首の位置にて開口を形成する手首開口形成布部２０と、指開口形成布部１０と手首開口形成布部２０とを連接する連接布部３０とから構成される。
本実施例による指運動用器具は、指開口形成布部１０によって、人差し指ａを露出させる第３の開口部１１と、中指ｂを露出させる第４の開口部１２と、人差し指ａの付け根側を覆う第１の筒部１４と、中指ｂの付け根側を覆う第２の筒部１５とを形成し、連接布部３０によって親指ｃを露出させる第１の開口部４０を形成し、連接布部３０によって手の甲及び手のひらを覆うと共に、薬指ｄを連接布部３０内に入れて用いる。
本実施例による指運動用器具は、人差し指ａ及び中指ｂで球体ｆを操作させる。
上記構成のように、本実施例による指運動用器具によれば、指開口形成布部１０によって人差し指ａと中指ｂを露出させ、人差し指ａを第１の筒部１４で中指ｂを第２の筒部１５で覆うために、人差し指ａと中指ｂに意識を集中させることができる。
特に、薬指ｄを連接布部３０内に入れて用いることで、人差し指ａと中指ｂに意識を集中させることができ、指の運動機能を高めることができる。
なお、上記実施例では、人差し指及び中指で球体を操作させることで説明したが、人差し指及び中指とともに、又は人差し指及び中指に代えて、親指及び小指で球体を操作させてもよい。また、親指及び小指とともに薬指を用いてもよい。
【産業上の利用可能性】
【００１２】  本発明による指運動用器具は、人差し指及び中指で球体を操作させることで、フィンガーサッカーゲームとして、又はさらに他の指、たとえば親指や小指で球体を操作させることでフィンガーバスケットゲームとして、運動器具、リハビリ器具、及び遊戯具として用いることができる。
【図面の簡単な説明】
【００１３】
【図１】  本発明の一実施例による指運動用器具の斜視図
【図２】  同器具の使用時における手のひら側の斜視図
【図３】  同器具の使用時における手の甲側の斜視図
【図４】  本発明の他の実施例による指運動用器具の正面図
【図５】  同器具の背面図
【図６】  同器具の使用時における手のひら側の斜視図
【図７】  同器具の使用時における手の甲側の斜視図
【図８】  本発明の他の実施例による指運動用器具の斜視図
【図９】  同器具の使用時における手の甲側の斜視図
【図１０】  他の実施例による指運動用器具の斜視図
【符号の説明】
【００１４】１０  指開口形成布部
２０  手首開口形成布部
３０  連接布部
４０  第１の開口部
５０  第２の開口部
ａ  人差し指
ｂ  中指
ｃ  親指
ｄ  薬指
ｅ  小指
ｆ  球体
【図１】
2009195656.tif 000003
【図２】
2009195656.tif 000004
【図３】
2009195656.tif 000005
【図４】
2009195656.tif 000006
【図５】
2009195656.tif 000007
【図６】
2009195656.tif 000008
【図７】
2009195656.tif 000009
【図８】
2009195656.tif 000010
【図９】
2009195656.tif 000011
【図１０】
2009195656.tif 000012